(57)【要約】      （修正有）【課題】簡単な構成であるとともに、操作性に優れた、放射角を変更可能なノズル装置を提供する。【解決手段】ノズル装置は、本体部材１０と、本体部材１０からの放水の放水方向を選択する選択部材２０と、自衛放水を行うための自衛放水選択部材３０と、給水ホースと接続される給水部材４０と、を備えている。放水流路１３は、放水方向の中心軸線に対して複数種の放水角を有し、同じ放水角を有する複数本が群を成して形成されている。給水部材４０に対して中心軸周りに本体部材１０を回動させるという簡単な操作により、選択部材２０により主流路１１と連通する分配流路１２を選択して、所望の放水角を有する放水流路１３の群を選択することができ、操作性良く所望の放射角を選択し、放水を行うことができる。【選択図】図２
2018191706.tif 000002
【特許請求の範囲】
【請求項１】
消火用の放水を行うノズル装置であって、
放水を行う本体部材と、給水装置から供給される水を前記本体部材に導入する給水部材と、を備え、
前記本体部材は、
中心軸に対して複数の放水角を有し、各放水角に対応する複数の放水流路の群と、
前記放水流路の群から所望の放水角の放水流路を選択する選択部材と、
を備えたことを特徴とするノズル装置。
【請求項２】
前記本体部材は、
中心軸に沿って水を導く主流路と、前記主流路に交差して連通し、前記放水流路の群それぞれに対応して設けられる分配流路と、が形成され、
前記選択部材は、前記給水部材に対して中心軸周りに前記本体部材を回動させることにより、前記主流路と連通する前記分配流路を選択可能に構成されていることを特徴とする請求項１に記載のノズル装置。
【請求項３】
前記選択部材は、
前記主流路に挿入して設けられる管状の第１選択部材と、
前記第１選択部材に挿入されて前記第１選択部材に対して相対的に回動可能に構成された第２選択部材と、を備え、
前記第１選択部材は、前記分配流路に対応してそれぞれ形成された開口部を備え、
前記第２選択部材は、前記第１選択部材の開口部に対応してそれぞれ形成された開口部を備え、
前記第１選択部材に対して前記第２選択部材を相対的に回動することにより、前記主流路と連通する前記分配流路を選択可能に構成されたことを特徴とする請求項２に記載のノズル装置。
【請求項４】
前記選択部材は、前記主流路が連通する第１の分配流路を第２の分配流路に切り換えるときに、前記主流路が前記第１の分配流路と前記第２の分配流路とに連通する状態を経由することを特徴とする請求項３に記載のノズル装置。
【請求項５】
前記本体部材には、自衛放水を行うための自衛放水専用流路が主流路を取り囲んで形成されており、
前記給水部材には、主流路と、主流路から分岐した分岐流路と、が形成されており、
前記自衛放水専用流路が前記分岐流路と連通する状態と連通しない状態とを選択可能に構成された自衛放水選択部材を備えたことを特徴とする請求項１ないし請求項４のいずれか１つに記載のノズル装置。
【請求項６】
前記本体部材の給水側の面には、前記放水流路の群のそれぞれに対応した開口部が形成されており、
前記選択部材は、
前記本体部材の給水側の面に摺動して相対的に回動可能に構成され、前記給水部材と連通する放水流路の群を選択することを特徴とする請求項１に記載のノズル装置。
【請求項７】
前記選択部材は、前記給水部材に固定されて設けられており、
前記給水部材に対して中心軸周りに前記本体部材を回動させることにより、前記給水部材と連通する前記放水流路の群を選択可能に構成されていることを特徴とする請求項６に記載のノズル装置。
【請求項８】
前記選択部材は、前記給水部材と連通する放水水路の群を第１の放水流路の群から第２の放水流路の群に切り換えるときに、前記給水部材が第１の放水流路の群を第２の放水流路の群とに連通する状態を経由することを特徴とする請求項６または請求項７に記載のノズル装置。
【発明の詳細な説明】
【技術分野】
【０００１】
本発明は、放水用のノズル装置であって、特に消火用の放水を行うノズル装置に関する。
【背景技術】
【０００２】
従来、消火用の放水を行うためのノズル装置として、放水の射程が長い細い水流状の放水と、消火面積を広くするために放水角を拡げる噴霧状の放水を行うことが可能なノズル装置が用いられてきた。細い水流状の放水は、射程が長いが消火面積が狭く、噴霧放水は、消火面積は広いが射程が短いという問題があった。
【０００３】
そこで、放水の射程が長く放水面積も確保できるノズル装置として、外方に傾斜して設けられた複数の噴射ノズルを備えた多口ノズル装置が提案されてきた。（例えば、特許文献１、２など）
【０００４】
しかし、上述のノズル装置では、それぞれの噴射ノズルの傾斜角は固定されているため、消火活動中に放水角を変化させて消火対象に合わせて放水面積を変化させることはできなかった。
【０００５】
一方、特許文献３には、複数の可動放水パイプを設けるとともに、可動放水パイプを開く方向又は収束する方向へと角度を変更及び固定可能とする角度調整装置とを備え、角度調整装置により、可動放水パイプの角度を変更させ、消火対象物に対する消火面積を変えることのできる消火用放水ノズル装置が開示されている。
【先行技術文献】
【特許文献】
【０００６】
【特許文献１】特開２００９−２９１６９９号公報
【特許文献２】特開２０１３−２５２２１５号公報
【特許文献３】特開２０１２−１３５４６０号公報
【発明の概要】
【発明が解決しようとする課題】
【０００７】
しかし、特許文献３に記載の消火用放水ノズル装置は、構造が複雑なため、大型なノズル装置になるとともに、コスト高となるおそれがある。また、機構上、角度調節装置のリング部を回転させるためには強い力が必要であり、消火者の操作性が高くないおそれがある。
【０００８】
そこで、本発明は、簡単な構成であるとともに、操作性に優れた、放射角を変更可能なノズル装置を提供することである。
【課題を解決するための手段】
【０００９】
上記目的を達成するため、請求項１に記載の発明では、消火用の放水を行うノズル装置であって、放水を行う本体部材と、給水装置から供給される水を前記本体部材に導入する給水部材と、を備え、前記本体部材は、中心軸に対して複数の放水角を有し、各放水角に対応する複数の放水流路の群と、前記放水流路の群から所望の放水角の放水流路を選択する選択部材と、を備えた、という技術的手段を用いる。ここで、「中心軸」とは、放水方向の対称軸を意味する。
【００１０】
請求項２に記載の発明では、請求項１に記載のノズル装置において、前記本体部材は、中心軸に沿って水を導く主流路と、前記主流路に交差して連通し、前記放水流路の群それぞれに対応して設けられる分配流路と、が形成され、前記選択部材は、前記給水部材に対して中心軸周りに前記本体部材を回動させることにより、前記主流路と連通する前記分配流路を選択可能に構成されている、という技術的手段を用いる。
【００１１】
請求項３に記載の発明では、請求項２に記載のノズル装置において、前記選択部材は、前記主流路に挿入して設けられる管状の第１選択部材と、前記第１選択部材に挿入されて前記第１選択部材に対して相対的に回動可能に構成された第２選択部材と、を備え、前記第１選択部材は、前記分配流路に対応してそれぞれ形成された開口部を備え、前記第２選択部材は、前記第１選択部材の開口部に対応してそれぞれ形成された開口部を備え、前記第１選択部材に対して前記第２選択部材を相対的に回動することにより、前記主流路と連通する前記分配流路を選択可能に構成された、という技術的手段を用いる。
【００１２】
請求項４に記載の発明では、請求項３に記載のノズル装置において、前記選択部材は、前記主流路が連通する第１の分配流路を第２の分配流路に切り換えるときに、前記主流路が前記第１の分配流路と前記第２の分配流路とに連通する状態を経由する、という技術的手段を用いる。
【００１３】
請求項５に記載の発明では、請求項１ないし請求項４のいずれか１つに記載のノズル装置において、前記本体部材には、自衛放水を行うための自衛放水専用流路が主流路を取り囲んで形成されており、前記給水部材には、主流路と、主流路から分岐した分岐流路と、が形成されており、前記自衛放水専用流路が前記分岐流路と連通する状態と連通しない状態とを選択可能に構成された自衛放水選択部材を備えた、という技術的手段を用いる。
【００１４】
請求項６に記載の発明では、請求項１に記載のノズル装置において、前記本体部材の給水側の面には、前記放水流路の群のそれぞれに対応した開口部が形成されており、前記選択部材は、前記本体部材の給水側の面に摺動して相対的に回動可能に構成され、前記給水部材と連通する放水流路の群を選択する、という技術的手段を用いる。
【００１５】
請求項７に記載の発明では、請求項６に記載のノズル装置において、前記選択部材は、前記給水部材に固定されて設けられており、前記給水部材に対して中心軸周りに前記本体部材を回動させることにより、前記給水部材と連通する前記放水流路の群を選択可能に構成されている、という技術的手段を用いる。
【００１６】
請求項８に記載の発明では、請求項６または請求項７に記載のノズル装置において、前記選択部材は、前記給水部材と連通する放水水路の群を第１の放水流路の群から第２の放水流路の群に切り換えるときに、前記給水部材が第１の放水流路の群を第２の放水流路の群とに連通する状態を経由する、という技術的手段を用いる。
【発明の効果】
【００１７】
請求項１に記載の発明によれば、選択部材により本体部材が備えた放水流路の群から所望の放水角の放水流路を選択することができ、簡単な構成により、操作性良く所望の放射角を選択し、放水を行うことができる。
【００１８】
請求項２に記載の発明によれば、給水部材に対して中心軸周りに本体部材を回動させるという簡単な操作により、選択部材により主流路と連通する分配流路を選択して、所望の放水角を有する放水流路の群を選択することができ、放水を行うことができる。
【００１９】
選択部材は、請求項３に記載の発明のような簡単な構造とすることができる。
【００２０】
請求項４に記載の発明によれば、放水角を選択し、切り換えるときに、主流路が第１の分配流路と第２の分配流路とに連通する状態を経由するので、水流が途絶することを防ぐことができるので、放水方向を切り換えるときに衝撃が生じることを防ぐことができる。
【００２１】
請求項５に記載の発明によれば、放水流路とは別に、自衛放水を行う自衛放水専用流路を備えている。自衛放水選択部材により自衛放水を行うか否かを放水流路による放水と独立で選択することができる。
【００２２】
請求項６に記載の発明によれば、選択部材により本体部材が備えた放水流路の群から所望の放水角の放水流路を選択することができ、簡単な構成により、操作性良く所望の放射角を選択し、放水を行うことができる。
【００２３】
請求項７に記載の発明によれば、給水部材に対して中心軸周りに本体部材を回動させるという簡単な操作により、所望の放水角を有する放水流路の群を選択することができ、放水を行うことができる。
【００２４】
請求項８に記載の発明によれば、放水角を選択し、切り換えるときに、水流が途絶することを防ぐことができるので、放水方向を切り換えるときに衝撃が生じることを防ぐことができる。
【図面の簡単な説明】
【００２５】
【図１】図１は、第１実施形態のノズル装置の外観を示す説明図である。図１（Ａ）は、放水を行う射出側から見た説明図であり、図１（Ｂ）は側面図である。
【図２】図２は、ノズル装置の内部構造の説明図である。図２（Ａ）の右図は縦断面説明図であり、左図は本体部材と給水部材との接続構造を示す断面説明図である。ここで、図２（Ａ）右図は図１（Ａ）のＡ−Ａ矢視断面図であり、放水流路及び自衛放水専用流路については、簡単のために左側の流路のみ図示している。図２（Ｂ）は、接続部材の断面説明図である。図２（Ｃ）右図は自衛放水選択部材の断面図であり、図２（Ｃ）左図は射出側から見た平面説明図である。図２（Ｄ）右図は給水部材の断面図であり、図２（Ｄ）左図は射出側から見た平面説明図である。
【図３】図３は、選択部材の説明図である。図３（Ａ）は、第１選択部材の断面説明図であり、図３（Ｂ）は、第２選択部材の断面説明図であり、図３（Ｃ）は、第１選択部材を射出側から見たときの開口部の配置を示す説明図である。
【図４】図４は、本体部材における各放水流路の連通状態を示す説明図である。各図において上図は射出側から見た放水流路の配置を示す平面説明図である。下図は各流路の連通状態を示す断面説明図である。ここで、下図では簡単のため、流路以外の構成要素を省略して示した。
【図５】図５は、本体部材における自衛放水専用流路の連通状態を示す説明図である。上図は射出側から見た自衛放水専用流路の配置を示す平面説明図である。下図は自衛放水専用流路の連通状態を示す断面説明図である。左図は給水側から見た本体部材の構造を示す平面説明図である。
【図６】図６は、放水角の異なる放水流路の群を切り換えるときの第１選択部材の開口部と第２選択部材の開口部との位置関係を射出側から見て模式的に示す説明図である。
【図７】図７は、放水角の異なる放水流路の群を切り換えたときの放水状況を模式的に示す説明図である。
【図８】図８は、第２実施形態のノズル装置の外観を示す説明図である。図８（Ａ）は、放水を行う射出側から見た説明図であり、図８（Ｂ）は側面図である。
【図９】図９は、ノズル装置の内部構造を説明するための縦断面説明図である。
【図１０】図１０は、本体部材及び選択部材の構造を示す説明図である。図１０（Ａ）は、本体部材の説明図であり、図（Ｂ）は選択部材の説明図である。各図において、上図が断面図、下図が給水側から見た平面説明図である。
【図１１】図１１は、放水角の異なる放水流路の群を切り換えるときの本体部材の放水流路の開口部と選択部材の開口部との位置関係を給水側から見て模式的に示す説明図である。
【発明を実施するための形態】
【００２６】
（第１実施形態）
第１実施形態のノズル装置について、図１ないし図７を参照して説明する。
【００２７】
ノズル装置１は、水を射出し、主に消火用の放水を行う本体部材１０と、本体部材１０からの放水の放水方向を選択する選択部材２０と、放水者を火災による熱から防ぐために自衛放水を行うための自衛放水選択部材３０と、給水ホースと接続される給水部材４０と、を備えている。ここで、水がノズル装置１から射出する中心軸方向を射出側、水をノズル装置１に給水する方向を給水側という。また、中心軸方向と直交する方向を径方向という。また、放水は真水に限定されるものではなく、発泡のための界面活性剤を含んだものなどを含む。
【００２８】
本体部材１０には、放水方向の中心軸線に沿って水を導く主流路１１と、主流路に交差する分配流路１２、分配流路と連通し所定の放水角度を有する放水流路１３と、主流路を囲むように配置され、自衛放水を行う自衛放水専用流路１４と、が形成されている。
【００２９】
また、本体部材１０の射出側の射出面１０ａからは、放水流路１３が開口している。本体部材１０の側面部１０ｂには、傾斜部を有する凹部として形成された自衛放水射出部１０ｃと、給水側に設けられた本体部材１０の回動を行うための把持部１０ｄが設けられている。
【００３０】
分配流路１２は主流路１１に直交し、主流路１１を囲む円盤状の流路として形成されている。本実施形態では、射出側から見て給水側に向かって、１２ａ、１２ｂ、１２ｃ、１２ｄの４つの分配流路が形成されている。これら分配流路１２ａ、１２ｂ、１２ｃ、１２ｄに対応して、後述する放水流路１３ａ、１３ｂ、１３ｃ、１３ｄがそれぞれ連通して形成されている。ここで、分配流路１２は、放水流路１３同士が干渉しないように、径方向に外径を変えて形成されている。
【００３１】
放水ノズルとして作用する放水流路１３は、放水方向の中心軸線に対して複数種の放水角を有し、同じ放水角を有する複数本が群を成して形成されている。放水流路１３ａは、分配流路１２ａと連通し、中心軸線に対して３０°傾斜して形成されている。放水流路１３ａの先端は、本体部材１０の射出面１０ａに開口しており、放水流路の先端には、放水の方向性を維持するためのチップ１５が取り付けられている。放水流路１３ａは、射出口が射出面１０ａに同心円上に９０°間隔で配置されるように、一つの分配流路１２ａに対して４本が一つの群をなして設けられている。
【００３２】
放水流路１３ｂは、分配流路１２ｂと連通し、中心軸線方向に向かって（放水角０°）形成されている。放水流路１３ｂの先端は、本体部材１０の射出面１０ａに開口しており、放水流路の先端には、放水の方向性を維持するためのチップ１５が取り付けられている。放水流路１３ｂは、射出口が同心円上に９０°間隔で配置されるように、一つの分配流路１２ｂに対して４本が一つの群をなして設けられている。
【００３３】
放水流路１３ｃは、分配流路１２ｃと連通し、中心軸線に対して１５°傾斜して形成されている。放水流路１３ｃの先端は、本体部材１０の射出面１０ａに開口しており、放水流路の先端には、放水の方向性を維持するためのチップ１５が取り付けられている。放水流路１３ｃは、射出口が同心円上に９０°間隔で配置されるように、一つの分配流路１２ｃに対して４本が一つの群をなして設けられている。
【００３４】
放水流路１３ｄは、自衛放水用の放水流路であり、自衛放水射出部１０ｃの底部から開口して設けられている。放水流路１３ｄは、分配流路１２ｄと連通し、中心軸線に対して６０°傾斜して形成されている。放水流路１３ｄは、射出口が同心円上に等間隔で配置されるように、一つの分配流路１２ｄに対して８本が一つの群をなして設けられている。
【００３５】
主流路１１には、主流路１１と連通する分配流路１２ａ、１２ｂ、１２ｃ、１２ｄを選択するための選択部材２０が挿入されて設けられている。図３に示すように、選択部材２０は、本体部材１０に固定される管状の第１選択部材２１と、第１選択部材２１に挿入され第１選択部材２１に対して回動可能に構成された管状の第２選択部材２２と、を備えている。
【００３６】
第１選択部材２１は、分配流路１２ａ、１２ｂ、１２ｃ、１２ｄにそれぞれ対応して開口する４つの円形の開口部２１ａ、２１ｂ、２１ｃ、２１ｄを有している。分配流路１２ａに対応する開口部２１ａは、図面右側に開口している。分配流路１２ｂに対応する開口部２１ｂは図面左側、分配流路１２ｃに対応する開口部２１ｃは図面奥側、分配流路１２ｄに対応する開口部２１ｄは図面手前側に開口している。
【００３７】
本実施形態では、開口部２１ａ、２１ｂ、２１ｃ、２１ｄは、射出側から見ると、反時計回りに放水角が小さい順に９０°ずつずらして等間隔で配置されている。つまり、２１ｂ、２１ｃ、２１ａ、２１ｄの順に並んでいる。
【００３８】
第２選択部材２２は、第１選択部材２１に挿入され第１選択部材２１の内面を摺動面として回動可能な管状部材として構成されている。第２選択部材２２の長さは、第１選択部材２１よりも長く、給水側の端部側面において給水部材４０に固定されて設けられている。
【００３９】
第２選択部材２２は、分配流路１２ａ、１２ｂ、１２ｃ、１２ｄにそれぞれ対応する位置に４つの開口部２２ａ、２２ｂ、２２ｃ、２２ｄを有している。開口部２２ａ、２２ｂ、２２ｃ、２２ｄは、周方向（回動方向）に長く形成された長孔であって、長手方向の直線上に並んで配置されている。
【００４０】
開口部２２ａ、２２ｂ、２２ｃ、２２ｄは第１選択部材２１を回動させるとき、射出方向から見たときに、射出側から見て９０°位置がずれている２か所の開口部（例えば、２１ｂ、２１ｃ）に対して開口部２２ｂ及び開口部２２ｃが面する姿勢と、開口部２２ｂまたは２２ｃのいずれか一方にのみ面する姿勢との、２つの姿勢を取ることができる。つまり、選択部材２０は、主流路１１が、複数の分配流路１２に連通可能な姿勢と、選択された分配流路１２とのみ連通可能な姿勢と、を選択可能に構成されている。
【００４１】
図５に示すように、本体部材１０は給水側から見ると、円周状の自衛放水給水溝１０ｅが形成されており、この自衛放水給水溝１０ｅと連通して、自衛放水専用流路１４が設けられている。自衛放水専用流路１４は、中心軸に対して１５°傾斜して、等間隔で１６本設けられており、その開口端は、自衛放水射出部１０ｃの傾斜面に対向するように開口している。
【００４２】
自衛放水選択部材３０は、外形が円柱状の部材であり、軸方向中央に本体部材１０の主流路１１と給水部材４０の主流路４２とを連通する孔部３１と、円弧状に形成され、中心軸に対して対称の位置に配置された２箇所の通水孔３２を備えている。通水孔３２は、給水部材４０に対して中心軸周りを回動可能に構成されている。自衛放水選択部材３０は、通水孔３２が給水部材４０に設けられた分岐流路４３と連通する姿勢と、連通しない姿勢とを選択することができる。
【００４３】
給水部材４０は、自衛放水選択部材３０を介して本体部材１０に接続されており、他端には、給水設備と接続された放水ホースを接続する接続部４１が設けられている。
【００４４】
給水部材４０は、内部に、本体部材１０の主流路１１と連通し、水を導入するための主流路４２と、主流路４２から径方向に分岐した後に、長手方向に延伸して、一端が接続部４１と反対側の面に左右２か所で開口する分岐流路４３と、を備えている。
【００４５】
接続部材１６は、円筒状の本体１６ａの一端に２箇所の突起部１６ｂ、１６ｂにより周状に形成される溝部１６ｃを備えている。接続部材１６は、自衛放水選択部材３０の孔部３１に挿通され、給水側の端部１６ｄにおいて給水部材４０に固定されている。第２選択部材２２は、接続部材１６に挿通され端部２２ｅにおいて給水部材４０に固定されている。これにより、給水部材４０の主流路４２と本体部材１０の主流路１１とは、接続部材１６を介して連通することになる。
【００４６】
ガイドピン１７は、把持部１０ｄから径方向に挿入され、先端が溝部１６ｃに挿入され本体部材１０の回動を阻害しない位置で固定されている。これにより、本体部材１０を回転可能に係止して保持し、本体部材１０が中心軸方向に移動することを制限するため、放水時の水圧により本体部材１０が給水部材４０から外れてしまうことを防止することができる。
【００４７】
（放水動作）
中心軸方向（放水角０°）に放水している状態から、放水角を増大させる動作について説明する。
【００４８】
図６は、放水角の異なる放水流路の群を切り換えるときの第１選択部材２１の開口部と第２選択部材２２の開口部との位置関係を射出側から見て模式的に示す説明図であり、図６（Ａ）―（Ｄ）各図の左図には第１選択部材２１の開口部２１ｃと第２選択部材２２の開口部２２ｃとの位置関係を、右図には第１選択部材２１の開口部２１ｃと第２選択部材２２の開口部２２ｂとの位置関係をそれぞれ示す。
【００４９】
まず、本体部材１０の把持部１０ｄを回動させて、第１選択部材２１の開口部２１ｂに第２選択部材２２の開口部２２ｂが面するようにする。これにより、図６（Ａ）の状態となり、主流路１１と分配流路１２ｂとが連通するようになるため、放水流路１３ｂから放水することができる。
【００５０】
次に、放水角を大きくするために、把持部１０ｄを給水側から見て右回りに回動させる。
【００５１】
把持部１０ｄを右回りに回動させると、第２選択部材２２の開口部２２ａ、２２ｂ、２２ｃ、２２ｄがそろって右回り方向に移動する。把持部１０ｄの回動角を大きくしていくと、図６（Ｂ）の位置関係を経て図６（Ｃ）の位置関係となる。このとき、第２選択部材２２の開口部２２ｂは一部が第１選択部材２１の開口部２１ｂに面したままの状態である。つまり、主流路１１と分配流路１２ｂとが連通している状態である。
【００５２】
また、回動前には第１選択部材２１の開口部２１ｃに面していなかった第２選択部材２２の開口部２２ｃの一部が、第１選択部材２１の開口部２１ｃに面するようになる。つまり、主流路１１と分配流路１２ｃとが連通している状態となる。
【００５３】
これにより、放水流路１３ｂ、１３ｃが主流路１１と連通されるため、放水流路１３ｂ、１３ｃから放水される状態となる。
【００５４】
更に回動角を大きくして図６（Ｄ）の位置関係を経て図６（Ｅ）の位置関係とすると、第２選択部材２２の開口部２２ｃが、第１選択部材２１の開口部２１ｃの正面に面するようになる。第２選択部材２２の開口部２２ｂは第１選択部材２１の開口部２１ｂに面しなくなる。つまり、主流路１１と分配流路１２ｃとが連通し、分配流路１２ｂは主流路１１から遮断された状態に切り替わる。これにより、放水流路１３ｂからの放水を放水流路１３ｃからの放水に切り換えることができ、放水角を大きくすることができる。
【００５５】
このように、第２選択部材２２の開口部２２ａ、２２ｂ、２２ｃ、２２ｄを長孔とすることにより、水流が途絶することを防ぐことができるので、放水方向を切り換えるときに衝撃が生じ、ホースが外れたり、破損することを防ぐことができる。
【００５６】
更に把持部１０ｄを回動させると、主流路１１と連通する分配流路１２を
分配流路１２ｃ→分配流路１２ａ→分配流路１２ｄ
の順に切り換えることができ、図７（Ａ）−（Ｄ）の放水Ｗ１−Ｗ４に示すように、放水角を拡げたり、自衛放水に切り換えたりすることができる。
【００５７】
ここで、放水による圧力は放水方向に負荷されるため、これと直交する把持部１０ｄの回動方向にはほとんど負荷されない。これにより、選択部材２０を本体部材１０により回動し、放水方向を切り換えるときに、水圧が操作を阻害しないので、小さな力で操作して放射角を容易に変化させることができる。
【００５８】
次に、自衛放水専用流路１４による自衛放水について説明する。
【００５９】
自衛放水を行うか否かの切り換えは、自衛放水選択部材３０により行う。自衛放水選択部材３０の通水孔３２が給水部材４０の分岐流路４３に面しない状態を選択すると、自衛放水専用流路１４は給水部材４０の分岐流路４３と連通しないため、自衛放水専用流路１４による自衛放水は行われない。
【００６０】
自衛放水選択部材３０を回動させて通水孔３２が給水部材４０の分岐流路４３に面する状態を選択すると、自衛放水専用流路１４が給水部材４０の分岐流路４３と連通し、自衛放水専用流路１４による自衛放水を行うことができる。ここで、通水孔３２は円弧状に形成されているので、通水孔３２が給水部材４０の分岐流路４３に面しない状態から面する状態に切り換えるために自衛放水選択部材３０を回動させる角度を小さくすることができる。これにより、すばやい切り換えを行うことができる。
【００６１】
自衛放水専用流路１４から射出された水は、自衛放水射出部１０ｃの傾斜面に衝突し、霧状に放散される。これにより、放水範囲を拡げ、自衛放水の効果を増大させることができる。なお、自衛放水専用流路１４の先端にはチップは設けない。そして、図７（Ｅ）に示すように、例えば、消火のための放水Ｗ１と自衛放水Ｗ５との両方を同時に行い、安全な消火活動を行うことができる。
【００６２】
（変更例）
放水流路１３の群の本数・放水角は任意に設定することができる。また、放水流路１３の群は、異なる放水角で群を形成してもよい。放水流路１３は本体部材１０の側面部１０ｂに開口する構成を採用することもできる。分配流路１２、選択部材２０の開口部の数は、放水流路１３の切り換え数により決定される。複数の放水流路１３の群の同時放水が可能な構成を採用することもできる。
【００６３】
第１選択部材２１は本体部材１０と一体的に構成することができる。また、第１選択部材２１の開口部の配置方法と第２選択部材２２の開口部の配置方法は入れ替えることもできる。
【００６４】
本体部材１０の把持部１０ｄを回動させるときに、放水流路１３の切り換えが行われる所定の回動角で位置決めを行うストッパなどの位置決め部材を設けることができる。ノズル装置１は、自衛放水専用流路１４を備えない構成を採用することもできる。
【００６５】
（第１実施形態の効果）
本発明のノズル装置１は簡単な構成であり、給水部材４０に対して中心軸周りに本体部材１０を回動させるという簡単な操作により、選択部材２０により主流路１１と連通する分配流路１２を選択して、所望の放水角を有する放水流路１３の群を選択することができ、操作性良く所望の放射角を選択し、放水を行うことができる。
また、放水流路１３とは別に、自衛放水を行う自衛放水専用流路１４を備えた構成では、自衛放水選択部材３０により自衛放水を行うか否かを放水流路１３による放水と独立で選択することができる。
【００６６】
（第２実施形態）
第２実施形態のノズル装置について、図８ないし図１１を参照して説明する。ここで、図９及び図１０（Ａ）の上図において、放水流路５１ａ、５１ｂ、５１ｃ、５１ｄの位置関係をわかりやすくするために、図１０（Ａ）の下図のＡ、Ｂ、Ｃ、Ｄ断面を重ね合わせて示している。
【００６７】
ノズル装置２は、水が射出し、主に消火用の放水を行う本体部材５０と、本体部材５０からの放水の放水方向を選択する選択部材６０と、給水ホースと接続される給水部材７０と、を備えている。
【００６８】
選択部材６０は、給水部材７０において、給水設備と接続された放水ホースを接続する接続部７１と反対側の開口部７２に向かって拡がる給水路７３を覆って、給水部材７０に固定されて設けられている。
【００６９】
選択部材６０の径方向の中心には、本体部材５０を取り付けるための取付部６０ａが設けられている。
【００７０】
本体部材５０は、取付部材８０を、回動中心に形成された取付部５０ｃに係止し、選択部材６０の取付部６０ａに挿入し固定することにより、選択部材６０に対して径方向に回動可能に取り付けられている。
【００７１】
本体部材５０には、放水ノズルとして作用する放水流路５１が設けられている。放水流路５１は、放水方向の中心軸線に対して複数種の放水角を有し、同じ放水角を有する複数本が群を成して形成されている。放水流路５１の一端は、本体部材５０の射出側に凸に形成された射出面５０ａに開口し、他端は給水側の給水面５０ｂに開口している。各放水流路の先端には、放水の方向性を維持するためのチップ５３が取り付けられている。なお、射出面５０ａは平坦面としてもよい。
【００７２】
本実施形態では、中心軸線に対してそれぞれ、０°、１５°、３０°、４５°傾斜して形成されている放水流路５１ａ、５１ｂ、５１ｃ、５１ｄが、それぞれ４本が一つの群をなして射出口が射出面５０ａに同心円上に９０°間隔で配置されるように設けられている。
【００７３】
放水流路５１ａ、５１ｂ、５１ｃ、５１ｄは、給水面５０ｂにおいて開口部５２ａ、５２ｂ、５２ｃ、５２ｄでそれぞれ開口している。
【００７４】
本体部材５０を給水側から見ると、開口部５２ａ、５２ｂ、５２ｃ、５２ｄは、給水面５０ｂの中心から外方に向かって２２．５°ずつ左方向にずれながら、５２ｃ、５２ｄ、５２ａ、５２ｂの順で配置されている。開口部５２ｃ、５２ｄ、５２ａ、５２ｂの組は、９０°ずつ回転させた位置に計４組が配置されている。
【００７５】
選択部材６０は、図１０に示すように、本体部材５０の給水面５０ｂに摺動して相対的に回動可能に構成された円板状の選択部６０ｂを備えている。
【００７６】
選択部６０ｂには、本体部材５０の開口部５２ａ、５２ｂ、５２ｃ、５２ｄにそれぞれ対応して開口する開口部６１ａ、６１ｂ、６１ｃ、６１ｄが形成されている。開口部６１ａ、６１ｂ、６１ｃ、６１ｄは、選択部６０ｂの中心から外方に向かって、直線上に６１ｃ、６１ｄ、６１ａ、６１ｂの順で配置されている。開口部６１ｃ、６１ｄ、６１ａ、６１ｂの組は、９０°ずつ回転させた位置に計４組が配置されている。
【００７７】
開口部６１ｃ、６１ｄ、６１ａ、６１ｂは、外方に配置された開口部ほど周方向（回動方向）に長く形成された長孔に形成されている。
【００７８】
選択部材６０は、給水部材７０に対して中心軸周りに本体部材５０を回動させることにより、給水部材７０と連通する放水流路５１の群を選択可能に構成されている。
【００７９】
選択部材６０は、給水部材７０と連通する放水流路から放水角が隣接する放水流路、例えば、放水流路５１ａから放水流路５１ｂ、に切り換えるときに、給水部材７０が放水流路５１ａと放水流路５１ｂとに連通する状態を経由するように構成されている。
【００８０】
（放水動作）
中心軸方向（放水角０°）に放水している状態から、放水角を増大させる動作について説明する。
【００８１】
図１１は、放水角の異なる放水流路の群を切り換えるときの、放水流路５１ａ、５１ｂ、５１ｃ、５１ｄの開口部５２ａ、５２ｂ、５２ｃ、５２ｄと選択部６０ｂの開口部６１ａ、６１ｂ、６１ｃ、６１ｄとの位置関係を給水側から見た平面説明図である。
【００８２】
まず、本体部材５０を給水部材７０に対して回動させて、放水流路５１ａの開口部５２ａを選択部６０ｂの開口部６１ａに面するようにする。これにより、図１１（Ａ）の状態となり、放水流路５１ａが給水部材７０の給水路７３と連通するようになるため、放水流路５１ａから放水することができる。
【００８３】
次に、放水角を大きくするために、本体部材５０を給水側から見て右回りに回動させる。
【００８４】
本体部材５０を右回りに回動させると、放水流路５１ａ、５１ｂ、５１ｃ、５１ｄの開口部５２ａ、５２ｂ、５２ｃ、５２ｄがそろって右回り方向に移動し、図１１（Ｂ）の位置関係となる。このとき、放水流路５１ａの開口部５２ａは一部が選択部材６０の開口部６１ａに面したままの状態である。つまり、放水流路５１ａが給水部材７０の給水路７３と連通している状態である。
【００８５】
また、回動前には選択部材６０の開口部６１ｂに面していなかった放水流路５１ｂの開口部５２ｂの一部が、選択部材６０の開口部６１ｂに面するようになる。つまり、放水流路５１ｂが給水部材７０の給水路７３と連通している状態である。
【００８６】
これにより、放水流路５１ａ、５１ｂが給水部材７０の給水路７３と連通されるため、放水流路５１ａ、５１ｂから放水される状態となる。
【００８７】
更に回動角を大きくして図１１（Ｃ）の位置関係とすると、放水流路５１ｂの開口部５２ｂが選択部材６０の開口部６１ｂの正面に面するようになり、放水流路５１ａの開口部５２ａが選択部材６０の開口部６１ａに面しなくなる。つまり、放水流路５１ｂが給水部材７０の給水路７３と連通し、放水流路５１ａは給水部材７０の給水路７３から遮断された状態に切り換わる。これにより、放水流路５１ａからの放水を放水流路５１ｂからの放水に切り換えることができ、放水角を大きくすることができる。
【００８８】
このように、開口部６１ｃ、６１ｄ、６１ａ、６１ｂを外方に配置された開口部ほど周方向（回動方向）に長く形成された長孔とすることにより、水流が途絶することを防ぐことができるので、放水方向を切り換えるときに衝撃が生じ、ホースが外れたり、破損することを防ぐことができる。
【００８９】
更に本体部材５０を回動させると、給水部材７０の給水路７３と連通する放水流路５１を
放水流路５１ｂ→放水流路５１ｃ→放水流路５１ｄ
の順に切り換えることができ、放水角を選択することができる。
【００９０】
ここで、放水による圧力は放水方向に負荷されるため、これと直交する本体部材５０の回動方向にはほとんど負荷されない。これにより、本体部材５０を回動し、放水方向を切り換えるときに、水圧が操作を阻害しないので、小さな力で操作して放射角を容易に変化させることができる。
【００９１】
（変更例）
放水流路５１の群の本数・放水角は任意に設定することができる。また、放水流路５１の群は、異なる放水角で群を形成してもよい。複数の放水流路５１の群の同時放水が可能な構成を採用することもできる。
【００９２】
第１選択部材２１は本体部材１０と一体的に構成することができる。また、選択部材６０の開口部の配置方法と本体部材５０の開口部の配置方法は入れ替えることもできる。
【００９３】
ノズル装置２は、第１実施形態のノズル装置１同様に自衛放水専用流路を備える構成を採用することもできる。
【００９４】
（第２実施形態の効果）
ノズル装置２によれば、第１実施形態のノズル装置１と同様に、簡単な構成であり、給水部材７０に対して中心軸周りに本体部材５０を回動させるという簡単な操作により、選択部材６０により所望の放水角を有する放水流路５１の群を選択することができ、操作性良く所望の放射角を選択し、放水を行うことができる。
また、給水部材からの給水を流路を絞らずに直接放水流路５１に導入するとともに、放水に至るまでの流路を短くすることができるので、圧損を小さくすることができ、放水の飛距離を増大させることができる。
【符号の説明】
【００９５】
１、２…ノズル装置
１０…本体部材
１０ａ…射出面
１０ｂ…側面部
１０ｃ…自衛放水射出部
１０ｄ…把持部
１０ｅ…自衛放水給水溝
１１…主流路
１２、１２ａ、１２ｂ、１２ｃ、１２ｄ…分配流路
１３、１３ａ、１３ｂ、１３ｃ、１３ｄ…放水流路
１４…自衛放水専用流路
１５…チップ
１６…接続部材
１６ａ…本体
１６ｂ…突起部
１６ｃ…溝部
１６ｄ…端部
１７…ガイドピン
２０…選択部材
２１…第１選択部材
２１ａ、２１ｂ、２１ｃ、２１ｄ…開口部
２２…第２選択部材
２２ａ、２２ｂ、２２ｃ、２２ｄ…開口部
２２ｅ…端部
３０…自衛放水選択部材
３１…孔部
３２…通水孔
４０…給水部材
４１…接続部
４２…主流路
４３…分岐流路
５０…本体部材
５０ａ…射出面
５０ｂ…給水面
５０ｃ…取付部
５１、５１ａ、５１ｂ、５１ｃ、５１ｄ…放水流路
５２ａ、５２ｂ、５２ｃ、５２ｄ…開口部
５３…チップ
６０…選択部材
６０ａ…取付部
６０ｂ…選択部
６１ａ、６１ｂ、６１ｃ、６１ｄ…開口部
７０…給水部材
７１…接続部
７２…開口部
７３…給水路
８０…取付部材
【図１】
2018191706.tif 000003
【図２】
2018191706.tif 000004
【図３】
2018191706.tif 000005
【図４】
2018191706.tif 000006
【図５】
2018191706.tif 000007
【図６】
2018191706.tif 000008
【図７】
2018191706.tif 000009
【図８】
2018191706.tif 000010
【図９】
2018191706.tif 000011
【図１０】
2018191706.tif 000012
【図１１】
2018191706.tif 000013